(57)【要約】複数の基地局１２ａに複数のパケットデータを移動端末に同期配信させる基地局制御装置１０ａであって、複数のパケットデータを受信する受信部Ｓ１２と、前記複数のパケットデータを圧縮する際に圧縮状態を遷移させるパケットデータのシーケンス番号に対応する遷移情報を生成する遷移情報生成部Ｓ１４と、前記遷移情報に基づき、前記複数のパケットデータを圧縮する圧縮部Ｓ２０と、前記圧縮された複数のパケットデータを前記複数の基地局に送信し、前記遷移情報を別の基地局制御装置に送信する送信部と、を具備することを特徴とする基地局制御装置。
2011024272.tif 000002
【特許請求の範囲】
【請求項１】
複数の基地局に、複数のパケットデータを移動端末に同期配信させる基地局制御装置であって、
複数のパケットデータを受信する受信部と、
前記複数のパケットデータを圧縮する際に圧縮状態を遷移させるパケットデータのシーケンス番号に対応する遷移情報を生成する遷移情報生成部と、
前記遷移情報に基づき、前記複数のパケットデータを圧縮する圧縮部と、
前記圧縮された複数のパケットデータを前記複数の基地局に送信し、前記遷移情報を別の基地局制御装置に送信する送信部と、
を具備することを特徴とする基地局制御装置。
【請求項２】
前記複数のパケットデータのシーケンス番号と前記複数の基地局が前記複数のパケットデータを前記移動端末に同期配信する基準時刻とを対応させた対応情報を生成する対応情報生成部と、
前記対応情報に基づき、前記複数のパケットデータの各々に対応し前記複数の基地局において前記圧縮された複数のパケットデータを前記移動端末に同期配信するための同期情報を生成する同期情報生成部と、
を具備し、
前記送信部は、前記対応情報を前記別の基地局制御装置に送信することを特徴とする請求項１記載の基地局制御装置。
【請求項３】
前記基準時刻は、前記圧縮状態を遷移させるパケットデータのシーケンス番号に対応することを特徴とする請求項２記載の基地局制御装置。
【請求項４】
複数の基地局に、複数のパケットデータを移動端末に同期配信させる基地局制御装置であって、
複数のパケットデータを受信し、別の基地局制御装置から、前記複数のパケットデータを圧縮する際に圧縮状態を遷移させるパケットデータのシーケンス番号に対応する遷移情報を受信する受信部と、
前記遷移情報に基づき、前記複数のパケットデータを圧縮する圧縮部と、
前記圧縮されたパケットデータを前記複数の基地局に送信する送信部と、
を具備することを特徴とする基地局制御装置。
【請求項５】
前記受信部は、前記複数のパケットデータのシーケンス番号と前記複数の基地局が前記複数のパケットデータを前記移動端末に同期配信する時刻とを対応させた対応情報を前記別の基地局制御装置から受信し、
前記対応情報に基づき、前記複数のパケットデータの各々に対応し前記複数の基地局において前記圧縮された複数のパケットデータを前記移動端末に同期配信するための同期情報を生成することを特徴とする請求項４記載の基地局制御装置。
【請求項６】
前記基準時刻は、前記圧縮状態を遷移させるパケットデータのシーケンス番号に対応することを特徴とする請求項５記載の基地局制御装置。
【請求項７】
複数のパケットデータを受信し、前記複数のパケットデータを圧縮し、前記圧縮された複数のデータを複数の基地局に送信し、前記複数の基地局において前記圧縮された複数のパケットデータを移動端末に同期配信させる第１および第２基地局制御装置を含む通信システムであって、
前記複数のパケットデータを圧縮する際に圧縮状態を遷移させるパケットデータのシーケンス番号に対応する遷移情報を生成し、前記第２基地局制御装置に送信する第１基地局制御装置と、
前記遷移情報を受信し、前記遷移情報に基づき前記複数のパケットデータを圧縮する前記第２基地局制御装置と、
を具備することを特徴とする通信システム。
【請求項８】
複数の基地局に、複数のパケットデータを移動端末に同期配信させる基地局制御装置であって、
複数のパケットデータを受信する受信部と、
前記複数のパケットデータを圧縮する圧縮部と、
前記圧縮された複数のパケットデータを前記複数の基地局と別の基地局制御装置とに送信する送信部と、
を具備することを特徴とする基地局制御装置。
【請求項９】
前記受信部は、前記複数のパケットデータの各々に対応し前記複数の基地局において前記圧縮された複数のパケットデータを前記移動端末に同期配信するための同期情報を受信することを特徴とする請求項８記載の基地局制御装置。
【請求項１０】
前記複数の基地局が前記複数のパケットデータを前記移動端末に配信する時刻を遅らせるように、前記同期情報を変更する同期情報変更部を具備することを特徴とする請求項９記載の基地局制御装置。
【請求項１１】
複数の基地局に、複数のパケットデータを移動端末に同期配信させる基地局制御装置であって、
別の基地局制御装置から、圧縮された複数のパケットデータを受信する受信部と、
前記圧縮された複数のパケットデータを前記複数の基地局に送信する送信部と、
を具備することを特徴とする基地局制御装置。
【請求項１２】
前記受信部は、前記別の基地局制御装置から前記複数のパケットデータの各々に対応し前記複数の基地局において前記圧縮された複数のパケットデータを前記移動端末に同期配信するための同期情報を受信することを特徴とする請求項１１記載の基地局制御装置。
【請求項１３】
圧縮された複数のパケットデータを配下の複数の基地局に送信し、配下の複数の基地局において前記圧縮された複数のパケットデータを移動端末に同期配信させる第１および第２基地局制御装置を含む通信システムであって、
受信した複数の前記パケットデータを圧縮し、前記圧縮された複数のパケットデータを前記第２基地局制御装置と配下の複数の基地局とに送信する第１基地局制御装置と、
前記第１基地局制御装置から前記圧縮された複数のパケットデータを受信し、配下の複数の基地局に送信する前記第２基地局制御装置と、
を具備することを特徴とする通信システム。
【請求項１４】
複数の基地局に、複数のパケットデータを移動端末に同期配信させる基地局制御装置であって、
複数のパケットデータと、前記複数のパケットデータを圧縮する際に圧縮状態を遷移させるパケットデータのシーケンス番号に対応する遷移情報と、を受信する受信部と、
前記遷移情報に基づき前記複数のパケットデータを圧縮する圧縮部と、
前記圧縮された複数のパケットデータを前記複数の基地局に送信する送信部と、
を具備することを特徴とする基地局制御装置。
【請求項１５】
前記受信部は、前記複数のパケットデータの各々に対応し前記複数の基地局において前記圧縮された複数のパケットデータを前記移動端末に同期配信するための同期情報を受信することを特徴とする請求項１４記載の基地局制御装置。
【発明の詳細な説明】
【技術分野】
【０００１】
本発明は、基地局制御装置および通信システムに関し、例えば、パケットデータを移動端末に同報する基地局制御装置および通信システムに関する。
【背景技術】
【０００２】
３ＧＰＰ（3rd Generation Partnership Project）等の移動通信システムにおいて、複数の移動端末に対しデータ同報（マルチキャスト／ブロードキャスト）サービスを行なうサービスが検討されている。データ同報サービスとして、例えばＭＢＭＳ（Multimedia Broadcast Multicast Service）サービスが仕様化されている。【０００３】
ＭＢＭＳサービスでは、複数の基地局がＭＢＭＳ信号を移動端末に送信する時点を同期させることとなる。そこで、上位のサーバがこの時点を示す情報を下位のサーバに送信し、下位のサーバが複数の基地局にこの時点を示す情報を送信する技術が知られている（例えば、特許文献１）。【０００４】
さらに、ＭＢＭＳサービスでは、パケットデータのヘッダ部の情報を圧縮し、無線帯域消費の削減および無線エラー遭遇確率を下げることが検討されている。
【先行技術文献】
【特許文献】
【０００５】
【特許文献１】特開２００８−９９２９１号公報
【発明の概要】
【発明が解決しようとする課題】
【０００６】
しかしながら、特許文献１の技術においては、パケットデータの少なくとも一部を圧縮する際に、圧縮状態を遷移するタイミングの同期をとることは考慮されていない。【０００７】
本基地局制御装置および通信システムは、パケットデータを圧縮する際の圧縮状態の遷移の同期を得ることを目的とする。
【課題を解決するための手段】
【０００８】
例えば、複数の基地局に、複数のパケットデータを移動端末に同期配信させる基地局制御装置であって、複数のパケットデータを受信する受信部と、前記複数のパケットデータを圧縮する際に圧縮状態を遷移させるパケットデータのシーケンス番号に対応する遷移情報を生成する遷移情報生成部と、前記遷移情報に基づき、前記複数のパケットデータを圧縮する圧縮部と、前記圧縮された複数のパケットデータを前記複数の基地局に送信し、前記遷移情報を別の基地局制御装置に送信する送信部と、を具備する基地局制御装置を用いる。【０００９】
例えば、複数の基地局に、複数のパケットデータを移動端末に同期配信させる基地局制御装置であって、複数のパケットデータを受信し、別の基地局制御装置から、前記複数のパケットデータを圧縮する際に圧縮状態を遷移させるパケットデータのシーケンス番号に対応する遷移情報を受信する受信部と、前記遷移情報に基づき、前記複数のパケットデータを圧縮する圧縮部と、前記圧縮されたパケットデータを前記複数の基地局に送信する送信部と、を具備する基地局制御装置を用いる。【００１０】
例えば、複数のパケットデータを受信し、前記複数のパケットデータを圧縮し、前記圧縮された複数のデータを複数の基地局に送信し、前記複数の基地局において前記圧縮された複数のパケットデータを移動端末に同期配信させる第１および第２基地局制御装置を含む通信システムであって、前記複数のパケットデータを圧縮する際に圧縮状態を遷移させるパケットデータのシーケンス番号に対応する遷移情報を生成し、前記第２基地局制御装置に送信する第１基地局制御装置と、前記遷移情報を受信し、前記遷移情報に基づき前記複数のパケットデータを圧縮する前記第２基地局制御装置と、を具備する通信システムを用いる。【００１１】
例えば、複数の基地局に、複数のパケットデータを移動端末に同期配信させる基地局制御装置であって、複数のパケットデータを受信する受信部と、前記複数のパケットデータを圧縮する圧縮部と、前記圧縮された複数のパケットデータを前記複数の基地局と別の基地局制御装置とに送信する送信部と、を具備する基地局制御装置を用いる。【００１２】
例えば、複数の基地局に、複数のパケットデータを移動端末に同期配信させる基地局制御装置であって、別の基地局制御装置から、圧縮された複数のパケットデータを受信する受信部と、前記圧縮された複数のパケットデータを前記複数の基地局に送信する送信部と、を具備する基地局制御装置を用いる。【００１３】
例えば、圧縮された複数のパケットデータを配下の複数の基地局に送信し、配下の複数の基地局において前記圧縮された複数のパケットデータを移動端末に同期配信させる第１および第２基地局制御装置を含む通信システムであって、受信した複数の前記パケットデータを圧縮し、前記圧縮された複数のパケットデータを前記第２基地局制御装置と配下の複数の基地局とに送信する第１基地局制御装置と、前記第１基地局制御装置から前記圧縮された複数のパケットデータを受信し、配下の複数の基地局に送信する前記第２基地局制御装置と、を具備する通信システムを用いる。【００１４】
例えば、複数の基地局に、複数のパケットデータを移動端末に同期配信させる基地局制御装置であって、複数のパケットデータと、前記複数のパケットデータを圧縮する際に圧縮状態を遷移させるパケットデータのシーケンス番号に対応する遷移情報と、を受信する受信部と、前記遷移情報に基づき前記複数のパケットデータを圧縮する圧縮部と、前記圧縮された複数のパケットデータを前記複数の基地局に送信する送信部と、を具備する基地局制御装置を用いる。
【発明の効果】
【００１５】
本基地局制御装置および通信システムによれば、パケットデータを圧縮する際の圧縮状態の遷移の同期を得ることができる。
【図面の簡単な説明】
【００１６】
【図１】図１は、実施例１の通信システムを適用する例としてＭＢＭＳサービスを行なう通信システムを示す図である。
【図２】図２は、各装置の層を示す図である。
【図３】図３（ａ）および図３（ｂ）は、ＩＰパケットデータを示す図である。
【図４】図４（ａ）は、ＲＯＨＣの状態を示す図であり、図４（ｂ）は、圧縮状態の遷移を示す模式図である。
【図５】図５は、ｅＢＭ−ＳＣのブロック図である。
【図６】図６は、ＭＢＭＳ−ＧＷのブロック図である。
【図７】図７（ａ）および図７（ｂ）は、ＭＢＭＳ−ＧＷの処理ブロック図である。
【図８】図８は、通信システムのシーケンス図である。
【図９】図９（ａ）から図９（ｃ）は、対応情報と同期情報の関係について説明する図である。
【図１０】図１０は、ＭＢＭＳ−ＧＷの処理を示すフローチャートである。
【図１１】図１１は、実施例２のＭＢＭＳ−ＳＣの処理ブロック図である。
【図１２】図１２は、実施例２の通信システムのシーケンス図である。
【図１３】図１３は、実施例２のＭＢＭＳ−ＧＷの処理を示すフローチャートである。
【図１４】図１４は、実施例３の通信システムのシーケンス図である
【図１５】図１５は、実施例３のＭＢＭＳ−ＧＷ１０ａの処理を示すフローチャートである。
【図１６】図１６は、実施例３のＭＢＭＳ−ＧＷ１０ｂの処理を示すフローチャートである。
【図１７】図１７は実施例４のＭＢＭＳ−ＧＷ１０ａの処理ブロック図である。
【図１８】図１８は実施例４の通信システムのシーケンス図である。
【図１９】図１９は、実施例４のＭＢＭＳ−ＧＷの処理を示すフローチャートである。
【発明を実施するための形態】
【００１７】
以下、図面を参照に実施例を説明する。
【実施例１】
【００１８】
図１は、実施例１の通信システムを適用する例としてＭＢＭＳサービスを行なう通信システムを示す図である。図１のように、通信システムは、上位の制御装置である例えばｅＢＭ−ＳＣ（Evolved Broadcast-Multicast Service Center）１６、基地局制御装置である例えばＭＢＭＳ−ＧＷ（MBMS-GateWay）１０および複数の基地局１２である例えばｅＮＢ（E-UTRAN NodeB）を備えている。ｅＢＭ−ＳＣ１６は複数のＭＢＭＳ−ＧＷ１０に接続されている。各々のＭＢＭＳ−ＧＷ１０は複数の基地局１２（ｅＮＢ：E-UTRAN NodeB）と接続されている。基地局１２は移動端末１４（ＵＥ：User Equipment）と無線通信可能である。ｅＢＭ−ＳＣ１６配下の、ＭＢＭＳ−ＧＷ１０および基地局１２はＩＰ（Internet Protocol）網を形成している。ｅＢＭ−ＳＣ１６は、例えばコンテンツプロバイダのサーバ１８とネットワークを介し接続されている。プロバイダサーバ１８のアプリケーションのＩＰパケットデータをＩＰ網内の移動端末１４に同報する場合、ｅＢＭ−ＳＣ１６がＩＰパケットデータを複数のＭＢＭＳ−ＧＷ１０に送信する。各々のＭＢＭＳ−ＧＷ１０は配下の基地局１２にＩＰパケットデータを送信する。ＭＢＭＳ−ＧＷ１０は複数の基地局１２に複数のパケットデータを移動端末１４に同期配信させる。【００１９】
図２は、各装置の層を示す図である。移動端末１４と基地局１２との間のプロトコルは、ＰＨＹ（Physical）層６０、ＭＡＣ（Medium Access Control）層６１、ＲＬＣ（Radio Link Control）層６２である。プロバイダサーバ１８から基地局１２までのプロトコルはＴＮＬ（Transport Network Layer）６３である。ＭＢＭＳ−ＧＷ１０と基地局１２とはＳＹＮＣプロトコル６４を用いフレームの同期をとっている。上位の層として、プロバイダサーバ１８と移動端末１４との間のプロトコルとして、ＩＰ６５、ＵＤＰ（User Datagram Protocol）６６およびＳＲＴＰ（Secure Real Time Protocol）６７がある。ＩＰパケットデータは例えばアプリケーションプロトコルＳＲＴＰのデータである。ＭＢＭＳ−ＧＷ１０はＩＰ６５、ＵＤＰ６６およびＳＲＴＰ６８のパケットデータをＲＯＨＣ（Robust Header Compression）６８を用い圧縮して移動端末１４に送信する。【００２０】
複数の基地局１２が移動端末１４にＩＰパケットデータを同時に送信する方法について説明する。図３（ａ）および図３（ｂ）は、ＩＰパケットデータ５０を示す図である。図３（ａ）のように、プロバイダサーバ１８が送信するＩＰパケットデータ５０には、同期情報は付加されていない。図３（ｂ）のように、ＭＢＭＳ−ＧＷ１０は、ＩＰパケットデータ５０に同期プロトコルヘッダ５２を付加し、配下の複数の基地局１２に送信する。同期プロトコルヘッダ５２は、複数のＩＰパケットデータ５０の各々に対応し複数の基地局１２において複数のＩＰパケットデータ５０を移動端末１４に同期配信するための同期情報である。例えば、同期プロトコルヘッダ５２には、各々のＩＰパケットデータ５０に対応し、基地局１２が移動端末１４にＩＰパケットデータ５０を送信する時刻を示すタイムスタンプＴＳが含まれている。ＭＢＭＳ−ＧＷ１０配下の各基地局１２は、各々の同期情報に基づいて各々のＩＰパケットデータ５０を移動端末１４に送信する。例えば、タイプスタンプＴＳの時刻にＩＰパケットデータ５０を移動端末１４に送信する。これにより、ＭＢＭＳ−ＧＷ１０配下の基地局１２は同期してＩＰパケットデータ５０を移動端末１４に送信することができる。【００２１】
次に、ＭＢＭＳ−ＧＷ１０が行なう圧縮についてＲＯＨＣを例に説明する。ＲＯＨＣはＩＰパケットデータ５０のヘッダを差分圧縮する手法である。図４（ａ）は、ＲＯＨＣの状態を示す図である。ＲＯＨＣにはＩＲ（Initialization and Refresh）、ＦＯ（First Order）およびＳＯ（Second Order）の３つの状態が準備されている。ＩＲは、全てのヘッダ情報を送信するデータとする状態である。すなわち圧縮処理しない状態である。ＦＯは、ヘッダ情報のうち動的に変化する部分だけ（すなわち差分データ）をデータとする状態である。動的に変化する部分は例えばＩＰパケットデータのＳＲＴＰシーケンス番号である。ＳＯは動的に変わる部分（差分データ）をさらに符号化しデータとする状態である。各状態はパケット毎に遷移可能である。【００２２】
図４（ｂ）は、圧縮状態の遷移を示す模式図である。図４（ｂ）では、縦方向の矢印がＩＰパケットデータ５０を示している。時間に対し、シーケンス番号（ＳＮ）が１から７のＩＰパケットデータ５０が送信されている。ＳＮが１から４のＩＰパケットデータ５０は圧縮状態がＩＲ状態である。ＳＮが５から７のＩＰパケットデータ５０は圧縮状態がＦＯである。このように、図４（ｂ）では、ＳＮが５から圧縮状態が遷移している。【００２３】
このように、ＭＢＭＳ−ＧＷ１０において、データ圧縮を行なう場合、圧縮状態の遷移の同期をとることが求められる。以下、ＭＢＭＳ−ＧＷ１０間で圧縮状態の遷移を同期させる例について説明する。【００２４】
図５は、ｅＢＭ−ＳＣ１６のブロック図である。ｅＢＭ−ＳＣ１６は、ネットワークインターフェース７０、通信データ処理部７２、ＭＢＭＳサービス制御部７４およびＭＢＭＳ転送制御部７６を含んでいる。ネットワークインターフェース７０は、図２のプロトコルを終端し、外部と通信データ処理部７２とのデータの送受信をバス７８を介して行なう。通信データ処理部７２は、ＭＢＭＳデータ転送制御部７６からの設定に基づきプロバイダサーバ１８からＩＰパケットデータの受信およびＭＢＭＳ−ＧＷ１０へのＩＰパケットデータの送信を行なう。また、プロバイダサーバ１８からのＭＢＭＳサービス要求等、ｅＢＭ−ＳＣ１６宛のシグナリング情報を認識し、シグナリング情報を処理するＭＢＭＳサービス制御部７４とのデータの送受信を行なう。【００２５】
ＭＢＭＳサービス制御部７４は、プロバイダサーバ１８からのＭＢＭＳサービス要求を通信データ処理部７２を介し受信し、ＭＢＭＳサービス確立のためのシグナリング情報の終端およびサービス情報の管理を行なう。ＭＢＭＳデータ転送制御部７６は、プロバイダサーバ１８からのＩＰパケットデータの配信対象となるＭＢＭＳ−ＧＷ１０の指定に基づき、ＩＰパケットデータを配信するための通信路の管理を行なう。【００２６】
図６は、ＭＢＭＳ−ＧＷ１０のブロック図である。ＭＢＭＳ−ＧＷ１０は、ネットワークインターフェース８０、通信データ処理部８２、ＭＢＭＳサービス制御部８４およびＭＢＭＳデータ転送制御部８６を含んでいる。ネットワークインターフェース８０は、図２のプロトコルを終端し、外部と通信データ処理部８２とのデータの送受信をバス８８を介して行なう。通信データ処理部８２は、ＭＢＭＳデータ転送制御部８６からの設定に基づきｅＢＭ−ＳＣ１６からのＩＰパケットデータの受信および基地局１２へのＩＰパケットデータの送信を行なう。また、ｅＢＭ−ＳＣ１６からのサービス要求等、ｅＢＭ−ＳＣ１６宛のシグナリング情報を認識し、シグナリング情報を処理するＭＢＭＳサービス制御部８４とのデータの送受信を行なう。【００２７】
ＭＢＭＳサービス制御部８４は、ＭＢＭＳサービス確立のためのシグナリング情報の終端およびサービス情報の管理を行なう。ＭＢＭＳデータ転送制御部８６は、ＩＰパケットデータの配信対象となる基地局１２の指定に基づき、ＩＰパケットデータを配信するための通信路の管理を行なう。【００２８】
図７（ａ）および図７（ｂ）は、ＭＢＭＳ−ＧＷ１０の処理ブロック図である。図７（ａ）は、圧縮状態を遷移させるパケットデータのシーケンス番号に対応する遷移情報を生成するＭＢＭＳ−ＧＷ１０ａのブロック図である。図７（ａ）のように、ＭＢＭＳ−ＧＷ１０ａは、受信部２０、送信部２２、遷移情報生成部２４、圧縮部２５、対応情報生成部２６および同期情報生成部２８を備えている。図６のネットワークインターフェース８０は、受信部２０および送信部２２であってもよい。通信データ処理部８２は、遷移情報生成部２４および圧縮部２５であってもよい。ＭＢＭＳデータ転送制御部８６は、対応情報生成部２６および同期情報生成部２８であってもよい。【００２９】
図７（ｂ）は、遷移情報を受信するＭＢＭＳ−ＧＷ１０ｂの処理ブロック図である。図７（ｂ）のように、ＭＢＭＳ−ＧＷ１０ｂは、受信部３０、送信部３２、圧縮部３５および同期情報生成部３８を備えている。図６のネットワークインターフェース８０は、受信部３０および送信部３２であってもよい。通信データ処理部８２は、圧縮部２５であってもよい。ＭＢＭＳデータ転送制御部８６は、同期情報生成部２８であってもよい。【００３０】
図８は、通信システムのシーケンス図である。ｅＢＭ−ＳＣ１６は、ＭＢＭＳ−ＧＷ１０ａに遷移情報の生成を要求する（ステップＳ１２）。ｅＢＭ−ＳＣ１６は、例えばＳＲＴＰ等のアプリケーションプロトコルのＩＰパケットデータ５０をＭＢＭＳ−ＧＷ１０ａに送信する。ＭＢＭＳ−ＧＷ１０ａの受信部２０は、複数のＩＰパケットデータ５０を受信する（ステップＳ１２）。ＭＢＭＳ−ＧＷ１０ａの遷移情報生成部２４は、遷移情報を生成する（ステップＳ１４）。遷移情報生成部２４は、例えばＳＲＴＰ等のアプリケーションデータのＩＰパケットデータ５０のＳＮとＲＯＨＣの圧縮状態の遷移の対応を確立する。例えば、図４（ｂ）の例では、ＩＲからＦＯへの遷移はＳＮ＝５のときである。そこで、この場合遷移情報として遷移ＳＮ（圧縮状態が遷移するＳＮ）＝５を含む。【００３１】
ＭＢＭＳ−ＧＷ１０ａの対応情報生成部２６は、対応情報を生成する。対応情報は、複数のＩＰパケットデータ５０のシーケンス番号ＳＮと複数の基地局１２が複数のＩＰパケットデータ５０を移動端末１４に同期配信するための基準時刻とを対応させた情報である。ＭＢＭＳ−ＧＷ１０ａの送信部２２はｅＢＭ−ＳＣ１６に遷移情報および対応情報を送信する（ステップＳ１８）。ＭＢＭＳ−ＧＷ１０ａの圧縮部２５は、遷移情報に基づきＩＰパケットデータ５０を圧縮処理する（ステップＳ２０）。例えば、ＲＯＨＣ処理する。ＭＢＭＳ−ＧＷ１０ａの同期情報生成部２８は、対応情報に基づき同期情報を生成する（ステップＳ２２）。例えば、図３（ｂ）のように、ＩＰパケットデータ５０に同期プロトコルヘッダを付加する。ＭＢＭＳ−ＧＷ１０ａの送信部２２は、少なくとも一部（例えばヘッダ）が圧縮処理されたＩＰパケットデータ５０と同期情報（例えばタイムスタンプＴＳ）とを基地局１２ａに送信する（ステップＳ２４）。【００３２】
ｅＢＭ−ＳＣ１６はＭＢＭＳ−ＧＷ１０ｂに遷移情報および対応情報を送信し、ＭＢＭＳ−ＧＷ１０ｂの受信部３０は遷移情報および対応情報を受信する（ステップＳ２６）。ｅＢＭ−ＳＣ１６はＭＢＭＳ−ＧＷ１０ｂにＩＰパケットデータ５０を送信し、ＭＢＭＳ−ＧＷ１０ｂの受信部３０はＩＰパケットデータ５０を受信する（ステップＳ２８）。ＭＢＭＳ−ＧＷ１０ｂの圧縮部３５は、遷移情報に基づきＩＰパケットデータ５０を圧縮する（ステップＳ３０）。ＭＢＭＳ−ＧＷ１０ａの同期情報生成部２８は、対応情報に基づき同期情報を生成する（ステップＳ３２）。ＭＢＭＳ−ＧＷ１０ｂの送信部３２は、圧縮処理されたＩＰパケットデータ５０と同期情報５２を基地局１２ｂに送信する（ステップＳ３４）。なお、図示しないが、ＭＢＭＳ−ＧＷ１０ａの受信部２０もステップＳ２８におけるＩＰパケットデータ５０を受信して、Ｓ２０、Ｓ２２、Ｓ２４と同様の処理を行なう。【００３３】
図９（ａ）から図９（ｃ）は、対応情報と同期情報の関係について説明する図である。図９（ａ）は、ｅＢＭ−ＳＣ１６からＭＢＭＳ−ＧＷ１０ａおよび１０ｂへのＩＰパケットデータ５０の送信タイミングを示している。ＳＮはＩＰパケットデータのシーケンス番号を示している。図９（ｂ）および図９（ｃ）は、それぞれ基地局１２ａおよび１２ｂから移動端末１４へのＩＰパケットデータ５０の送信タイミングを示している。図９（ａ）のように、ＳＮがＸ〜Ｘ＋２のＩＰパケットデータ５０は、周期ＴｉでｅＢＭ−ＳＣ１６からＭＢＭＳ−ＧＷ１０ａおよび１０ｂの送信されている。ＩＰパケットデータ５０が音声や映像に関するデータの場合、ＩＰパケットデータの間隔があいてしまう場合がある。このような場合、基準時間Ｔｃ以上の間隔が開くと、δｔを基準にＩＰパケットデータ５０の送信タイミングを再設定する。図９（ａ）の例では、ＳＮがＸ＋２のＩＰパケットデータ５０が送信された後、Ｔｉ+δｔ後にＳＮがＸ＋３のＩＰパケットデータ５０が送信される。【００３４】
図９（ｂ）のように、ＭＢＭＳ−ＧＷ１０ａの対応情報生成部２６は、シーケンス番号ＳＮ＝Ｘに対応する基準時刻ＴＳ０を決める。対応情報はシーケンス番号ＳＮ＝Ｘおよび基準時刻ＴＳ０を含む。基準時刻ＴＳ０は、ＭＢＭＳ−ＧＷ１０ａが、ＳＮがＸのＩＰパケットデータ５０を受信した時刻でもよいし、この時刻とは異なる時刻でもよい。ＭＢＭＳ−ＧＷ１０ａからＩＰパケットデータを同期配信する全ての基地局１２ａおよび１２ｂへのデータ転送時間を考慮し、時刻差Δｔを予め決めておく。例えば、時刻ＴＳ０＋Δｔには、全ての基地局１２ａおよび１２ｂにおいて、ＳＮがＸのＩＰパケットデータ５０が配信可能なようにΔｔを予め決めておく。例えば、最もデータ転送の時間のかかるＭＢＭＳ−ＧＷに合わせΔｔを決める。【００３５】
ＭＢＭＳ−ＧＷ１０ａの同期情報生成部２８は、対応情報生成部２６が生成した基準時刻ＴＳ０と基準時刻ＴＳ０に対応するシーケンス番号ＳＮ＝Ｘに基づき、タイムスタンプＴＳ（ＳＮ）を算出する。例えば、ＳＮがＸからＸ＋２のＩＰパケットデータについては、式（１）のように、ＳＮがＸ＋３以降のＩＰパケットデータについては式（２）のように、タイムスタンプＴＳ（ＳＮ）を算出する。
ＴＳ（ＳＮ）＝ＴＳ０＋Δｔ＋Ｔｉ×（ＳＮ−（Ｘ−Ｎ））  式（１）
Ｎは０〜２
ＴＳ（ＳＮ）＝ＴＳ（Ｘ＋２）＋Δｔ＋δｔ＋Ｔｉ×（ＳＮ−（Ｘ＋２））  式（２）【００３６】
なお、Δｔの値は各ＭＢＭＳ−ＧＷ１０ａおよび１０ｂが保持しておき、同期情報生成部２８が適時入手することができる。または、同期情報生成部２８は、ΔｔをｅＢＭ−ＳＣ１６から入手することができる。周期Ｔｉはプロバイダサーバ１８が提供する同報サービスで決まるパケットデータフローに関する特性情報のためｅＢＭ−ＣＳ１６が認識することができる。よって、同期情報生成部２８は、ΔｔをｅＢＭ−ＳＣ１６から入手することができる。または、同期情報生成部２８は、Δｔを圧縮部２５の圧縮制御から把握することができる。Ｔｃおよびδｔは複数のＭＢＭＳ−ＧＷの共通のパラメータであり、例えば同期情報生成部２８は、ｅＢＭ−ＳＣ１６からＴｃおよびδｔを入手することができる。よって、同期情報生成部２８は、基準時刻ＴＳ０および対応するシーケンス番号ＳＮ＝Ｘを入手できれば、式（１）、式（２）から、各ＩＰパケットデータ５０に対応するタイムスタンプＴＳ（ＳＮ）を算出できる。なお、基準時刻ＴＳ０に対応するＳＮ＝Ｘを遷移情報の遷移ＳＮと共通としてもよい。これにより、基準時刻ＴＳ０に対応するＳＮは圧縮情報に含まれる遷移ＳＮを用いることができる。よって、対応情報は、基準時刻ＴＳ０に対応するＳＮ＝Ｘを含まず基準時刻ＴＳ０のみとすることができる。【００３７】
同期情報生成部２８は、図３（ｂ）のように、各ＩＰパケットデータ５０にタイムスタンプＴＳ（ＳＮ）を含む同期情報（例えば同期プロトコルヘッダ５２）を付加する。これにより、基地局１２ａは図９（ｂ）のように、決まった時刻にＩＰパケットデータ５０を配信することができる。【００３８】
ＭＢＭＳ−ＧＷ１０ｂの同期情報生成部３８は、ＭＢＭＳ−ＧＷ１０ａから受信した対応情報内の基準時刻ＴＳ０に基づき式（１）および式（２）を用い、各ＩＰパケットデータ５０の同期情報を生成する。よって、基地局１２ｂは図９（ｃ）のように、基地局１２ａの同じ決まった時刻にＩＰパケットデータ５０を配信することができる。【００３９】
図１０は、ＭＢＭＳ−ＧＷ１０ａおよび１０ｂの処理を示すフローチャートである。受信部２０または３０は、複数のＩＰパケットデータ５０をｅＢＭ−ＳＣ１６から受信する（ステップＳ１００）。このステップは、図８のステップＳ１２に対応する。次に、通信データ処理部７２または８２は、遷移情報の生成要求を受信する状態か否かを判断する（ステップＳ１０２）。図８のステップＳ１０において、ｅＢＭ−ＳＣ１６から遷移情報生成の要求を受信した状態の場合Ｙｅｓとなる。Ｙｅｓの場合、遷移情報および生成情報が既に存在しているか判断する（ステップＳ１０４）。Ｎｏの場合、遷移情報生成部２４は、遷移情報を生成する（ステップＳ１０６）。このステップは、図８のステップＳ１４に対応する。対応情報生成部２６は対応情報を生成する（ステップＳ１０８）。このステップは、図８のステップＳ１６に対応する。遷移情報および対応情報をｅＢＭ−ＳＣ１６を経由し別のＭＢＭＳ−ＧＷ１０ｂに送信する（ステップＳ１１０）。このステップは、図８のステップＳ１８に対応する。通信データ処理部７２は、遷移情報の生成要求を受信する状態を解除する（ステップＳ１１２）。その後、ステップＳ１１４に進む。【００４０】
ステップＳ１０２においてＮｏの場合、またはステップＳ１０４においてＹｅｓの場合、ステップＳ１１４に進む。すなわち、遷移情報および生成情報を既に生成したＭＢＭＳ−ＧＷ１０ａまたは遷移情報および生成情報を受信したＭＢＭＳ−ＧＷ１０ｂの場合、ステップＳ１１４に進む。【００４１】
圧縮部２５または３５は、ＩＰパケットデータが圧縮対象のパケットか判断する（ステップＳ１１４）。Ｎｏの場合ステップＳ１２６に進む。Ｙｅｓの場合、圧縮部２５または３５は遷移情報に基づき、圧縮状態を遷移させるパケットか判断する（ステップＳ１１６）。Ｎｏの場合ステップＳ１２０に進む。Ｙｅｓの場合、圧縮部２５または３５は圧縮状態を遷移させる（ステップＳ１１８）。次に、対応情報に基づき同期情報を生成する（ステップＳ１２０）。このステップは、図８のステップＳ２２またはＳ３２に対応する。次に、パケットの圧縮処理を行なう（ステップＳ１２２）。このステップは、図８のステップＳ２０またはＳ３０に対応する。なお、ステップＳ１２０とＳ１２２の順番が図８とは反対となっているが、圧縮処理と同期情報生成の順番はいずれが先でもよい。最後に、送信部２２または３２は圧縮されたＩＰパケットデータを同期情報とともに基地局１２ａおよび１２ｂに送信する（ステップＳ１２６）。このステップは、図８のステップＳ２４またはＳ３４に対応する。以上の処理をｅＢＭ−ＳＣ１６からＩＰパケットを受信する毎に行なう。【００４２】
実施例１によれば、図８のステップＳ１４のように、第１基地局制御装置である例えばＭＢＭＳ−ＧＷ１０ａの遷移情報生成部２４が遷移情報を生成する。ステップＳ１８およびＳ２６のように、送信部２２は、遷移情報をｅＢＭ−ＳＣ１６を経由しＭＢＭＳ−ＧＷ１０ｂに送信する。ステップＳ２０のように、圧縮部２５は、遷移情報に基づき、入力されたＩＰパケットデータを圧縮する。一方、ステップＳ２６のように、第２基地局制御装置である例えばＭＢＭＳ−ＧＷ１０ｂの受信部３０は、遷移情報をｅＢＭ−ＳＣ１６を経由しＭＢＭＳ−ＧＷ１０ａから受信する。ステップＳ３０のように、圧縮部３５は、受信した遷移情報に基づき、入力されたＩＰパケットデータを圧縮する。【００４３】
以上のように、圧縮状態を遷移させるパケットデータのシーケンス番号に対応する遷移情報を、ＭＢＭＳ−ＧＷ１０ａで生成し、ＭＢＭＳ−ＧＷ１０ｂに送信することにより、同じパケットデータの圧縮を行なうことができる。よって、移動端末１４に転送される圧縮されたＩＰパケットデータの同一性を確保できる。なお、実施例１では圧縮方法の例としてパケットヘッタ部を圧縮するＲＯＨＣを例に説明したが、圧縮部２５または３５はパケットデータの少なくとも一部を圧縮すればよい。また、遷移情報のＭＢＭＳ−ＧＷ１０ａからＭＢＭＳ−ＧＷ１０ｂへの転送は、ｅＢＭ−ＳＣ１６を経由してもよいし、直接でもよい。【００４４】
また、実施例１によれば、図８のステップＳ１６のようにＭＢＭＳ−ＧＷ１０ａの対応情報生成部２６が対応情報を生成する。ステップＳ１８およびＳ２６のように、送信部２２は、対応情報をｅＢＭ−ＳＣ１６を経由しＭＢＭＳ−ＧＷ１０ｂに送信する。ステップＳ２２のように、同期情報生成部２８は、対応情報に基づき、入力されたＩＰパケットデータの各々に対応する同期情報を生成する。一方、ステップＳ２６のように、ＭＢＭＳ−ＧＷ１０ｂの受信部３０は、ｅＢＭ−ＳＣ１６を経由しＭＢＭＳ−ＧＷ１０ａから受信する。ステップＳ３２のように同期情報生成部２８は、対応情報に基づきパケットデータの各々に対応する同期情報を生成する。【００４５】
以上のように、ＭＢＭＳ−ＧＷ１０ａがパケットデータのシーケンス番号ＳＮ＝Ｘと基地局１２ａおよび１２ｂがパケットデータを移動端末１４に同期配信するための基準時刻ＴＳ０とを対応させた対応情報を生成する。そして、ＭＢＭＳ−ＧＷ１０ａがＭＢＭＳ−ＧＷ１０ｂに対応情報を送信する。これにより、ＭＢＭＳ−ＧＷ１０ａとＭＢＭＳ−ＧＷ１０ｂとで同じシーケンス番号のパケットデータに対し同じ同期情報を生成することができる。【００４６】
さらに、対応情報の基準時刻ＴＳ０に対応するシーケンス番号ＳＮ＝Ｘを、遷移情報における圧縮状態を遷移させるパケットデータのシーケンス番号（遷移ＳＮ）とする。これにより、対応情報を簡略化することができる。
【実施例２】
【００４７】
実施例２は、遷移情報をｅＢＭ−ＳＣ１６が配信生成する例である。図１１は、実施例２のＭＢＭＳ−ＧＷ１０の処理ブロック図である。図１１のように、ＭＢＭＳ−ＧＷ１０は、受信部２０、圧縮部２５および送信部２２を備えている。【００４８】
図１２は、実施例２の通信システムのシーケンス図である。図１２のように、ｅＢＭ−ＳＣ１６は、ＭＢＭＳ−ＧＷ１０ａに遷移情報を送信する。ＭＢＭＳ−ＧＷ１０ａの受信部２０は遷移情報を受信する（ステップＳ４０ａ）。ＭＢＭＳ−ＧＷ１０ａの圧縮部２５は、遷移情報に基づき圧縮のスケジューリングを行なう（ステップＳ４２ａ）。ｅＢＭ−ＳＣ１６は、ＭＢＭＳ−ＧＷ１０ａにＩＰパケットデータおよび同期情報を送信する。ＭＢＭＳ−ＧＷ１０ａの受信部２０はＩＰパケットデータおよび同期情報を受信する（ステップＳ４４ａ）。圧縮部２５は、ＩＰパケットデータを圧縮する（ステップＳ４６ａ）。例えば、ＲＯＨＣを実行する。ＭＢＭＳ−ＧＷ１０ａの送信部２２は、基地局１２ａに圧縮されたＩＰパケットデータおよび同期情報を送信する（ステップＳ４８ａ）。なお、図示しないが、ＭＢＭＳ−ＧＷ１０ａの受信部２０もステップＳ４４ｂにおけるＩＰパケットデータ５０を受信して、Ｓ４６ａおよびＳ４８ａと同様の処理を行なう。以上の処理をｅＢＭ−ＳＣ１６からＩＰパケットを受信毎に行なう。【００４９】
ｅＢＭ−ＳＣ１６、ＭＢＭＳ−ＧＷ１０ｂおよび基地局１２ｂは、それぞれｅＢＭ−ＳＣ１６、ＭＢＭＳ−ＧＷ１０ａおよび基地局１２ａのステップＳ４０ａ〜Ｓ４８ａと同様にステップＳ４０ｂ〜Ｓ４８ｂを行なう。【００５０】
図１３は、ＭＢＭＳ−ＧＷ１０ａおよび１０ｂの処理を示すフローチャートである。受信部２０は、ＩＰパケットデータ５０を同期情報とともにｅＢＭ−ＳＣ１６から受信する（ステップＳ１４０）。このステップは、図１２のステップＳ４０ａおよびＳ４０ｂに対応する。次に、圧縮部２５は、ＩＰパケットデータが圧縮対象のパケットか判断する（ステップＳ１４２）。Ｎｏの場合ステップＳ１５２に進む。Ｙｅｓの場合、圧縮部２５は遷移情報に基づき、圧縮状態を遷移させるパケットか判断する（ステップＳ１４４）。Ｎｏの場合ステップＳ１４８に進む。Ｙｅｓの場合、圧縮部２５は圧縮状態を遷移させる（ステップＳ１４６）。ステップＳ１４８において、パケットデータの圧縮処理を行なう（ステップＳ１４８）。最後に、送信部２２は圧縮されたＩＰパケットデータを同期情報とともに基地局１２ａおよび１２ｂに送信する（ステップＳ１５２）。このステップは、図１２のステップＳ４８ａおよびＳ４８ｂに対応する。【００５１】
実施例２によれば、図１２のステップＳ４０ａおよびＳ４０ｂのように、各ＭＢＭＳ−ＧＷ１０ａおよび１０ｂ（基地局制御装置）の受信部２０がｅＢＭ−ＳＣ１６（上位制御装置）から遷移情報を受信する。ステップＳ４６ａおよびＳ４６ｂのように、各圧縮部２５は、遷移情報に基づき前記複数のパケットデータを圧縮する。ステップＳ４８ａおよびＳ４８ｂのように、各送信部２２は、圧縮された複数のパケットデータを同期情報ともに複数の基地局１２ａおよび１２ｂに送信する。これにより、各ＭＢＭＳ−ＧＷ１０ａおよび１０ｂの圧縮部２５は、同じ遷移情報を用いＩＰパケットデータを圧縮するため、基地局１２ａおよび１２ｂが受信する圧縮されたＩＰパケットデータの同一性を確保できる。【００５２】
また、受信部２０がｅＢＭ−ＳＣ１６から受信した同期情報を、送信部２２が基地局１２ａおよび１２ｂに送信する。これにより、同じ同期情報を付与したＩＰパケットデータを基地局１２ａおよび１２ｂに送信することができる。
【実施例３】
【００５３】
実施例３は、ＭＢＭＳ−ＧＷ１０ａがＩＰパケットデータの圧縮処理を行い、他のＭＢＭＳ−ＧＷ１０ｂに送信する例である。実施例３のＭＢＭＳ−ＧＷ１０ａおよび１０ｂの処理ブロックは実施例２の図１１と同じであり説明を省略する。図１４は、実施例３の通信システムのシーケンス図である。図１４のように、ｅＢＭ−ＳＣ１６はＭＢＭＳ−ＧＷ１０ａにアンカーを指示する（ステップＳ５０）。ｅＢＭ−ＳＣ１６はＭＢＭＳ−ＧＷ１０ｂにリレーを指示する（ステップＳ５２）。ｅＢＭ−ＳＣ１６は、ＭＢＭＳ−ＧＷ１０ａに同期情報を付与したＩＰパケットデータを送信する。ＭＢＭＳ−ＧＷ１０ａの受信部２０は同期情報を付与したＩＰパケットデータを受信する（ステップＳ５４）。ＭＢＭＳ−ＧＷ１０ａの圧縮部２５は、ＩＰパケットデータ５０を圧縮処理する（ステップＳ５６）。ＭＢＭＳ−ＧＷ１０ａの送信部２２は圧縮されたＩＰパケットデータと同期情報とを別のＭＢＭＳ−ＧＷ１０ｂに送信する。ＭＢＭＳ−ＧＷ１０ａの受信部２０は圧縮されたＩＰパケットデータと同期情報を受信する（ステップＳ５８）。ＭＢＭＳ−ＧＷ１０ａの送信部２２は圧縮されたＩＰパケットデータと同期情報を基地局１２ａに送信する（ステップＳ６０）。ＭＢＭＳ−ＧＷ１０ｂの送信部２２は圧縮されたＩＰパケットデータと同期情報を基地局１２ｂに送信する（ステップＳ６２）。【００５４】
図１５は、ＭＢＭＳ−ＧＷ１０ａの処理を示すフローチャートである。受信部２０は、ＩＰパケットデータ５０を同期情報とともにｅＢＭ−ＳＣ１６から受信する（ステップＳ１６０）。このステップは、図１４のステップＳ５４に対応する。圧縮部２５は入力されたＩＰパケットデータを圧縮処理する（ステップＳ１６２）。このステップは、図１４のステップＳ５６に対応する。送信部２２は、アンカー対象のパケットデータか判断する（ステップＳ１６４）。Ｎｏの場合ステップＳ１６８に進む。Ｙｅｓの場合、送信部２２は、圧縮されたＩＰパケットデータと同期情報を別のＭＢＭＳ−ＧＷ１０ｂに送信する（ステップＳ１６６）。このステップは、図１４のステップＳ５８に対応する。ＭＢＭＳ−ＧＷ１０ａの送信部２２は圧縮されたＩＰパケットデータと同期情報を基地局１２ａに送信する（ステップＳ１６８）。このステップは、図１４のステップＳ６０に対応する。【００５５】
図１６は、ＭＢＭＳ−ＧＷ１０ｂの処理を示すフローチャートである。受信部２０は、ＩＰパケットデータ５０を同期情報とともにＭＢＭＳ−ＧＷ１０ａから受信する（ステップＳ１７０）。このステップは、図１４のステップＳ５８に対応する。圧縮部２５はパケットデータがリレー対象のパケットデータか判断する（ステップＳ１７２）。Ｎｏの場合、圧縮部２５は、入力されたＩＰパケットデータを圧縮処理する（ステップＳ１７４）。その後、ステップＳ１７６に進む。ステップＳ１７２においてＹｅｓの場合、圧縮部２５はＩＰパケットデータを圧縮処理しない。ステップＳ１７６において、送信部２２は、圧縮されたＩＰパケットデータと同期情報を基地局１２ｂに送信する（ステップＳ１７６）。このステップは、図１４のステップＳ６２に対応する。【００５６】
実施例３によれば、図１４のステップＳ５８のように、第１基地局制御装置である例えばＭＢＭＳ−ＧＷ１０ａの送信部２２は、ＭＢＭＳ−ＧＷ１０ａで圧縮されたＩＰパケットデータを別のＭＢＭＳ−ＧＷ１０ｂに送信する。一方、第２基地局制御装置である例えばＭＢＭＳ−ＧＷ１０ｂの受信部２０は、ＭＢＭＳ−ＧＷ１０ａで圧縮されたＩＰパケットデータを受信する。ステップＳ６２のように、ＭＢＭＳ−ＧＷ１０ｂの送信部２２は、ＭＢＭＳ−ＧＷ１０ａで圧縮されたＩＰパケットデータを基地局１２ｂに送信する。このように、ＭＢＭＳ−ＧＷ１０ａで圧縮されたパケットデータをＭＢＭＳ−ＧＷ１０ｂに送付し、ＭＢＭＳ−ＧＷ１０ｂはパケットデータを圧縮しない。これにより、基地局１２ａおよび１２ｂが受信する圧縮されたＩＰパケットデータの同一性を確保できる。また、実施例１または実施例２のように、遷移情報の送受信を行なわなくてもよい。【００５７】
また、図１４のステップＳ５４のように、ＭＢＭＳ−ＧＷ１０ａの受信部２０は、ｅＢＭ−ＳＣ１６からＩＰパケットデータと同期情報とを受信する。ステップＳ５８のように、ＭＢＭＳ−ＧＷ１０ａの送信部２２は、圧縮されたＩＰパケットデータと同期情報とをＭＢＭＳ−ＧＷ１０ｂに送信する。一方、ＭＢＭＳ−ＧＷ１０ｂの受信部２０は、ＭＢＭＳ−ＧＷ１０ａで圧縮されたＩＰパケットデータと同期情報を受信する。ステップＳ６２のように、ＭＢＭＳ−ＧＷ１０ｂの送信部２２は、圧縮されたＩＰパケットデータと同期情報を基地局１２ｂに送信する。このように、ＭＢＭＳ−ＧＷ１０ａはＩＰパケットデータとともに同期情報を受信し、ＭＢＭＳ−ＧＷ１０ｂに送信する。ＭＢＭＳ−ＧＷ１０ｂは、この同期情報をそのまま基地局１２ｂに送信する。これにより、同じ同期情報を付与したＩＰパケットデータを基地局１２ａおよび１２ｂに送信することができる。
【実施例４】
【００５８】
実施例４は、ＭＢＭＳ−ＧＷ１０ａにおいて同期情報を変更する例である。図１７は実施例４のＭＢＭＳ−ＧＷ１０ａの処理ブロック図である。図１１に加え同期情報変更部２９が設けられている。図１８は実施例４の通信システムのシーケンス図である。図１８のように、ＭＢＭＳ−ＧＷ１０ａは、ステップＳ６５の後に同期情報を変更する（ステップＳ６４）。その他のステップは図１４と同じであり説明を省略する。【００５９】
図１９は、実施例４のＭＢＭＳ−ＧＷ１０ａの処理を示すフローチャートである。ステップＳ１６４においてＹｅｓの場合、同期情報変更部２９は、同期情報を変更するか判断する（ステップＳ１８０）。例えば、同期情報変更部２９がＩＰパケットデータに付加されたタイムスタンプＴＳでは、ＩＰパケットデータが基地局１２ｂに到着前にタイムスタンプ時刻になってしまうと判断した場合、同期情報を変更すると判断する。Ｎｏの場合、ステップＳ１６０に進む。Ｙｅｓの場合、同期情報変更部２９は、複数の基地局１２ｂが複数のパケットデータを移動端末１４に配信する時刻を遅らせるように、同期情報を変更する（ステップＳ１８２）。例えば、ＭＢＭＳ−ＧＷ１０ａからＭＢＭＳ−ＧＷ１０ｂへのＩＰパケットデータの転送による配信遅延を考慮し、同期情報を変更する。その後、ステップＳ１６０に進む。その他のステップは、図１５と同じであり説明を省略する。【００６０】
実施例４によれば、ＭＢＭＳ−ＧＷ１０ａの同期情報変更部２９が、複数の基地局１２ｂが複数のパケットデータを移動端末１４に配信する時刻を遅らせるように、同期情報を変更する。これにより、ＭＢＭＳ−ＧＷ１０間でデータを転送するとにより基地局へのデータ配信が遅延した場合であっても、複数の基地局１２ａおよび１２ｂがＩＰパケットデータを同時に移動端末１４に配信することができる。【００６１】
以上、本発明の好ましい実施例について詳述したが、本発明は係る特定の実施例に限定されるものではなく、特許請求の範囲に記載された本発明の要旨の範囲内において、種々の変形・変更が可能である。
【符号の説明】
【００６２】
１０        ＭＢＭＳ−ＧＷ
１２        基地局
１４        移動端末
１６        ｅＢＭ−ＳＣ
１８        プロバイダサーバ
２０、３０  受信部
２２、３２  送信部
２４        遷移情報生成部
２５        圧縮部
２６        対応情報生成部
２８        同期情報生成部
【図１】
2011024272.tif 000003
【図２】
2011024272.tif 000004
【図３】
2011024272.tif 000005
【図４】
2011024272.tif 000006
【図５】
2011024272.tif 000007
【図６】
2011024272.tif 000008
【図７】
2011024272.tif 000009
【図８】
2011024272.tif 000010
【図９】
2011024272.tif 000011
【図１０】
2011024272.tif 000012
【図１１】
2011024272.tif 000013
【図１２】
2011024272.tif 000014
【図１３】
2011024272.tif 000015
【図１４】
2011024272.tif 000016
【図１５】
2011024272.tif 000017
【図１６】
2011024272.tif 000018
【図１７】
2011024272.tif 000019
【図１８】
2011024272.tif 000020
【図１９】
2011024272.tif 000021
【国際調査報告】
2011024272.tif 000022
2011024272.tif 000023
2011024272.tif 000024
2011024272.tif 000025